(57)【要約】  本発明は、溶剤の分野に関する。さらに詳しくは、本発明は低温で油を溶解する方法に関する。本発明はまた、１，１，１，３，３−ペンタフルオロブタン（ＨＦＣ−３６ｍｆｃ）と１，１，１，２，３，４，４，５，５，５−デカフルオロペンタン（ＨＦＣ−４３−１０ｍｅｅ）とを基剤とする新規な組成物に関する。【特許請求の範囲】
【請求項１】
１，１，１，３，３−ペンタフルオロブタン（ＨＦＣ−３６５ｍｆｃ）と、１，１，１，２，３，４，４，５，５，５−デカフルオロペンタン（ＨＦＣ−４３−１０ｍｅｅ）と、トランス−１，２−ジクロロエチレン（ｔ−ＤＣＥ）と、１から１０重量％の２から４個の炭素原子を含有するアルコールとを含有してなる組成物を使用することを特徴とする、低温で油を溶解する方法。
【請求項２】
温度が１０℃未満、好ましくは０から８℃の間、都合よくは３から６℃の間であることを特徴とする、請求項１に記載の方法。
【請求項３】
１，１，１，３，３−ペンタフルオロブタンと１，１，１，２，３，４，４，５，５，５−デカフルオロブタンとからなる二成分混合物４０から６９重量％と、トランス−１，２−ジクロロエチレン３０から５０重量％と、２から４個の炭素原子を含有するアルコール１から１０重量％とを含有してなる組成物を使用することを特徴とする、請求項１又は２のいずれか一項に記載の方法。
【請求項４】
ＨＦＣ−３６５ｍｆｃとＨＦＣ−４３−１０ｍｅｅとの二成分混合物４５から６４重量％と、トランス−１，２−ジクロロエチレン３５から４５重量％と、２から４個の炭素原子を含有するアルコール１から１０重量％とを含有してなる組成物を使用することを特徴とする、請求項３に記載の方法。
【請求項５】
１，１，１，３，３−ペンタフルオロブタン（ＨＦＣ−３６５ｍｆｃ）と、１，１，１，２，３，４，４，５，５，５−デカフルオロペンタン（ＨＦＣ−４３−１０ｍｅｅ）と、トランス−１，２−ジクロロエチレン（ｔ−ＤＣＥ）と、１から１０重量％の４個の炭素原子を含有するアルコールとを含有してなる組成物。
【請求項６】
１，１，１，３，３−ペンタフルオロブタンと１，１，１，２，３，４，４，５，５，５−デカフルオロブタンとからなる二成分混合物４０から６９重量％と、トランス−１，２−ジクロロエチレン３０から５０重量％と、４個の炭素原子を含有するアルコール１から１０重量％とを含有してなることを特徴とする、請求項５に記載の組成物。
【請求項７】
ＨＦＣ−３６５ｍｆｃとＨＦＣ−４３−１０ｍｅｅとの二成分混合物４５から６４重量％と、トランス−１，２−ジクロロエチレン３５から４５重量％と、４個の炭素原子を含有するアルコール１から１０重量％とを含有してなることを特徴とする、請求項５又は６に記載の組成物。
【請求項８】
アルコールがｓｅｃ−ブタノールであることを特徴とする、請求項５から７に記載の組成物。
【請求項９】
クリーニング、脱脂又は乾燥工業において使用されるか、又はポリウレタンフォーム用の発泡剤として、エアゾール噴射剤として又は熱媒として使用されることを特徴とする、請求項５から８に記載の組成物。
【発明の詳細な説明】
【技術分野】
【０００１】
本発明は、溶剤の分野に関する。本発明は、さらに詳しくは、低温で油を溶解する方法に関する。本発明の別の主題は、１，１，１，３，３−ペンタフルオロブタン（ＨＦＣ−３６５ｍｆｃ）と１，１，１，２，３，４，４，５，５，５−デカフルオロペンタン（ＨＦＣ−４３−１０ｍｅｅ）を基剤とする新規な組成物である。
【背景技術】
【０００２】
国際公開第ＷＯ００／５６８３３号パンフレットには、１，１，１，３，３−ペンタフルオロブタン（ＨＦＣ−３６５ｍｆｃ）と１，１，１，２，３，４，４，５，５，５−デカフルオロペンタン（ＨＦＣ−４３−１０ｍｅｅ）又はノナフルオロメトキシブタンとから本質的になる共沸様二成分組成物が記載されている。また、この国際公開パンフレットには、１，１，１，３，３−ペンタフルオロブタン（ＨＦＣ−３６５ｍｆｃ）と、１，１，１，２，３，４，４，５，５，５−デカフルオロペンタン（ＨＦＣ−４３−１０ｍｅｅ）又はノナフルオロメトキシブタンと、トランス−１，２−ジクロロエチレン（ｔ−ＤＣＥ）、臭化ｎ−プロピル、アセトン、メタノール、エタノール又はイソプロパノールとから本質的になる三成分及び四成分共沸様混合物も開示されている。
【０００３】
国際公開第ＷＯ００／５６８３３号パンフレットの実施例４及び５には、周囲温度でのある種の組成物の油溶性の試験が開示されている。従って、３１重量％の４３−１０ｍｅｅと、３１重量％の３６５ｍｆｃと、３８重量％のｔ−ＤＣＥとを含有する組成物が、鉱油を用いて評価され（表４）、また３３重量％の４３−１０ｍｅｅと、２８重量％の３６５ｍｆｃと、３９重量％のｔ−ＤＣＥをと含有する組成物がＤＣ−２００シリコーン油を用いて評価された（表５）。
【０００４】
しかし、この国際公開パンフレットの三成分組成物は、例えば医療分野又はこの他の分野におけるような低い温度で動作することを必要とする用途では効果がない。
【０００５】
従って、本出願人は、低温で油を溶解する方法を開発した。
【０００６】
本発明の第一の主題は、１，１，１，３，３−ペンタフルオロブタン（ＨＦＣ−３６５ｍｆｃ）と、１，１，１，２，３，４，４，５，５，５−デカフルオロペンタン（ＨＦＣ−４３−１０ｍｅｅ）と、トランス−１，２−ジクロロエチレン（ｔ−ＤＣＥ）と、１から１０重量％の２から４個の炭素原子を含むアルコールとを含有してなる組成物を使用することを特徴とする低温で油を溶解する方法である。
【０００７】
本発明の方法は、温度が１０℃未満の温度で実施することが好ましい。また、０から８℃の間の温度も好ましい。３から６℃の間の温度を選択することが都合がよい。
【０００８】
１，１，１，３，３−ペンタフルオロブタンと１，１，１，２，３，４，４，５，５，５−デカフルオロブタンとからなる二成分混合物４０から６９重量％と、トランス−１，２−ジクロロエチレン３０から５０重量％と、２から４個の炭素原子を含有するアルコール１から１０重量％とを含有してなる組成物を使用することが好ましい。
【０００９】
ＨＦＣ−３６５ｍｆｃとＨＦＣ−４３−１０ｍｅｅとの二成分混合物４５から６４重量％と、トランス−１，２−ジクロロエチレン３５から４５重量％と、２から４個の炭素原子を含有するアルコール１から１０重量％とを含有してなる組成物を使用することが都合がよい。
【００１０】
組成物中に存在するアルコールの量は、１から５重量％の間にあることが都合がよい。
【００１１】
エタノール、プロパノール、イソプロパノール、ブタノール、二級−ブタノール（ｓｅｃ−ブタノール）又はｔｅｒｔ−ブタノールが適切であり得る。イソプロパノール又はｓｅｃ−ブタノールを使用することが好ましい。ｓｅｃ−ブタノールが都合よくは好ましい。
【００１２】
１，１，１，２，３，４，４，５，５，５−デカフルオロペンタンは、二成分混合物の少なくとも１７重量％に相当することが好ましい。
【００１３】
本発明の方法は、鉱油又はシリコーン油に適している。この方法は、支持体、例えば台所用品の表面への油の均一な被着（ｄｅｐｏｓｉｔｉｏｎ）に適用できる。この方法は、医療グレードのシリコーン油の被着、特に医療機器、例えば注射針又はカテーテルの表面への被着に非常に特に適している。これは、シリコーン油が、患者の皮膚への注射針の挿入に関連した痛みを和らげることを目的とした皮下医療注射器用の潤滑剤として使用されるからである。
【００１４】
本発明の方法は、種々様々な固体表面（金属部品、ガラス、プラスチック、複合材料）の洗浄、脱脂及び乾燥に適している。本発明の方法は、印刷回路の製造においてはんだ接合部の品質を向上させるために使用される物質の残部を除去するのにも用いることができる。この除去操作は、当該技術において「脱フラックス」という用語で表される。
【００１５】
本発明の第二の主題は、１，１，１，３，３−ペンタフルオロブタン（ＨＦＣ−３６５ｍｆｃ）と、１，１，１，２，３，４，４，５，５，５−デカフルオロペンタン（ＨＦＣ−４３−１０ｍｅｅ）と、トランス−１，２−ジクロロエチレン（ｔ−ＤＣＥ）と、４個の炭素原子を含有するアルコール１から１０重量％とを含有してなる組成物である。
【００１６】
本発明の第二の主題の特に好ましい組成物は、１，１，１，３，３−ペンタフルオロブタンと１，１，１，２，３，４，４，５，５，５−デカフルオロブタンとからなる二成分混合物４０から６９重量％と、トランス−１，２−ジクロロエチレン３０から５０重量％と、４個の炭素原子を含有するアルコール１から１０重量％とを含有してなる。
【００１７】
ＨＦＣ−３６５ｍｆｃとＨＦＣ−４３−１０ｍｅｅとの二成分混合物４５から６４重量％と、トランス−１，２−ジクロロエチレン３５から４５重量％と、４個の炭素原子を含有するアルコール１から１０重量％とを含有してなる組成物が都合よくは好ましい。
【００１８】
組成物中に存在するアルコールの量は、１から５重量％の間にあることが都合がよい。
【００１９】
ｓｅｃ−ブタノールをアルコールとして選択することが都合がよい。
【００２０】
１，１，１，２，３，４，４，５，５，５−デカフルオロペンタンは、二成分混合物の少なくとも１７重量％に相当することが好ましい。
【００２１】
第二の主題の組成物は、産業において種々様々な固体表面（金属部品、ガラス、プラスチック、複合材料）の洗浄、脱脂及び乾燥に使用することができる。本発明の組成物は、印刷回路の製造においてはんだ接合部の品質を向上させるために使用された物質の残部を除去するのにも用いることができる。この除去操作は、当該技術において「脱フラックス」という用語で表される。
【００２２】
さらにまた、本発明の組成物は、ポリウレタンフォーム用の発泡剤として、エアゾール噴射剤として、熱媒として、繊維製品用のドライクリーニング剤として又は冷凍、冷却装置の洗浄剤として使用することができる。
【００２３】
（実施例）
（実験の部）
【実施例１】
【００２４】
シリコーン油の溶解試験の説明
クロンプトン社〔Ｃｒｏｍｐｔｏｎ  Ｃｏｒｐｏｒａｔｉｏｎ（米国、グリニッチ）〕製のシリコーン油Ｃｒｏｍｐｔｏｎ  Ｌ９０００−１０００を使用する。これは、周囲温度（２２℃）で０．９７の密度、２００℃よりも高い沸点及び１３２℃の引火点（ペンスキー・マルテンス密閉カップ法）を有する透明液体ヒドロキシポリジメチルシロキサンである。
【００２５】
混合物を周囲温度で、すなわち２２℃で調製する。
【００２６】
このようにして、３６５ｍｆｃと４３−１０ｍｅｅとを基剤とする組成物（試験すべき組成物）１８ｍｌとシリコーン油１．９４ｇとを５０ｍｌフラスコに導入する、すなわち１０容量％溶液を調製する。この混合物を次いで手で５分間攪拌する。
【００２７】
このようにして調製した混合物の一部を、周囲温度（２２℃）で２４時間放置する。混合物の別の部分を低温（６℃）で７日間放置する。
【００２８】
種々の温度での保存期間後に、混合物の外観を綿密に観察する。混合物が透明で、澄んだ、均質な単一層であり及び安定である場合に、周囲温度又は６℃で溶解性があるとみなす。
【００２９】
次の組成物を調製した：
組成物Ａ：ＨＦＣ−３６５ｍｆｃ  ８０重量％とＨＦＣ−４３−１０ｍｅｅ２０重量％
組成物Ｂ：ＨＦＣ−３６５ｍｆｃ  ４８重量％とＨＦＣ−４３−１０ｍｅｅ１２重量％とトランス−１，２−ジクロロエチレン４０重量％
組成物Ｃ：ＨＦＣ−３６５ｍｆｃ  ４４重量％と、ＨＦＣ−４３−１０ｍｅｅ１１重量％と、トランス−１，２−ジクロロエチレン４０重量％と、ｓｅｃ−ブタノール５重量％
【００３０】
【表１】
2008508385.tif 000002
【実施例２】
【００３１】
燃焼性試験の説明
組成物の燃焼性の評価のために、この引火点を、ＡＳＴＭ  Ｄ３８２８標準法、すなわちセタフラッシュ密閉カップ法に従って測定した。引火点は、液体がこの表面で点火源の作用下に空気中で可燃性であるが活性化エネルギーを取り除いた場合に火炎を持続することがない混合物を形成するのに十分な量で蒸気を放出する最低温度である。
【００３２】
組成物のそれぞれについて、信頼できる結果を得るために、測定は５回繰り返した。
【００３３】
【表２】
2008508385.tif 000003
【実施例３】
【００３４】
蒸発速度の測定についての説明
１辺当たり４ｃｍの長さを有し及び１ｃｍ当たり３０本のワイヤを有するステンレス鋼の正方形の形状のスクリーンを使用する。緻密な網目を有するこの種のスクリーンは、浸漬後に溶剤の良好な保持を可能にする。
【００３５】
スクリーンを、周囲温度に保持した試験組成物８０ｍｌを入れた１００ｍｌビーカーに、制御され及び安定な換気で浸漬する。
【００３６】
完全に浸漬されたスクリーンを試験組成物から引き上げたときに、蒸発速度を測定するストップウォッチを作動させる。時間と共に移動する組成物の挙動を観察することによって、蒸発の終わり（蒸発の終わりの時点で、この挙動が消失する）を決定する。約１５回の測定を行い、これらの平均値を以下の表に示す。
【００３７】
【表３】
2008508385.tif 000004